(57)【要約】【課題】安全性かつ開栓操作性に優れたキャップを提供する。【解決手段】天面壁１０ｂと天面壁１０ｂの周縁から垂下するスカート部１１とを有し、スカート部１１の内周面には容器の口頸部２０に螺着される雌ネジ１２が形成され、スカート部１１の下端から下方に延びる第２スカート部１１ａが形成され、第２スカート部１１ａには１個又は、周方向に対向する位置関係にある２個の突起１３が形成され、キャップ１０を開栓する際、口頸部２０外方に設けられた係止部２３に突起１３が当接して開栓方向への旋回を阻止され、突起１３と直交する位置の第２スカート部１１ａ外側面を外方から押圧することにより第２スカート部１１ａを楕円形状に弾性変形させ、係止部２３より突起１３を半径方向外側に移動させ開栓方向への旋回を許容する機構を備えていることを特徴とする。【選択図】  図４
2007223624.tif 000002
【特許請求の範囲】
【請求項１】
天面壁と該天面壁の周縁から垂下するスカート部とを有し、前記スカート部の内周面には容器の口頸部に螺着される雌ネジが形成されており、前記スカート部の下端から下方に延びる第２スカート部が形成されており、前記第２スカート部には１個又は、周方向に対向する位置関係にある２個の突起が形成されており、
前記キャップを開栓する際、前記口頸部外方に設けられた係止部に前記突起が当接して開栓方向への旋回を阻止され、前記突起と直交する位置の前記第２スカート部外側面を外方から押圧することにより前記第２スカート部を楕円形状に弾性変形させ、前記係止部より前記突起を半径方向外側に移動させ開栓方向への旋回を許容する機構を備えた安全キャップであって、
前記突起の基部に沿って、前記第２スカート部に、前記突起と前記係止部との係止状態を解除する際に前記第２スカート部の弾性変形を促進させるための変形促進部を設けていることを特徴とする安全キャップ。
【請求項２】
前記変形促進部が、前記突起の基部両側又は片側に、薄肉状又は溝状に形成されていることを特徴とする請求項１記載の安全キャップ。
【発明の詳細な説明】
【技術分野】
【０００１】
本発明は、飲料や調味料、薬品などを入れるボトルなどの容器体の口頸部に装着されるキャップに関し、詳しくは乳幼児などがキャップを外そうとしても容易に開栓できないような安全な機構を設けるとともに、開栓操作性に優れたキャップに関する。
【背景技術】
【０００２】
従来のボトルなどの口頸部に装着されるキャップは、キャップを掴んで回せば誰にでも容易に開栓できるような構造になっている。このため、乳幼児がキャップを手や口でいじっているうちにキャップを外し、容器の中身やキャップそのものを口に入れてしまう誤飲事故が発生する恐れがある。こうした事故を防ぐために、乳幼児が簡単に開栓できないように工夫された、いわゆる安全キャップが提案されている。例えば、このような安全キャップに関連して、以下のような技術のものが開示されている。
【０００３】
特許文献１には、互いに噛合い可能な係合突部とキャップ弛め方向の螺動を阻止する係合段部とを設け、係合突部が互いに噛合いかつ離脱させるのに必要なキャップ外筒の弾性変形を可能とする間隔が環状部とキャップ外筒との間に形成可能とするように環状部外径よりも外筒内径を大とした安全キャップ付容器が記載されている。
【０００４】
特許文献２には、キャップの外側スカートの内側にある突起と容器体の外側の螺子部の下方にある突起又はカムとがキャップが容器体に対して螺着されるときに互いに係合してキャップの除去を阻止するとともに、キャップの外側スカートが突起同士の係合点から離れて対向して定められた位置を押圧されたときは外側スカートが変形することにより突起同士がはずれてキャップのネジ戻しを許すようにした安全容器が記載されている。
【特許文献１】実公昭５３−５０６７９号公報
【特許文献２】特開平１−３０８７５９号公報
【発明の開示】
【発明が解決しようとする課題】
【０００５】
しかしながら、前記従来の技術のものでは以下のような問題があった。特許文献１に記載の安全キャップ付容器では、互いに噛合いかつ離脱させるのに必要な間隔を容器体の環状部とキャップ外筒との間に設けるので、キャップが容器体の環状部に対して大きくなるという点や、このような間隔の存在によってキャップを把持する際の構造強度が不足して開栓操作がしにくいという問題点があった。
特許文献２に記載の安全容器では、前記同様の問題点に加えて、キャップを押圧する際の押圧代が確保されていないので、キャップの変形操作に必要な押圧力が大きくなり取り扱い性に欠けるという問題点があった。
【０００６】
本発明は、従来の課題を解決するためになされたもので、キャップが容器体から容易に外れることによって発生する幼児などの事故を防ぐための安全な機構を設けた安全キャップを提供することを目的とする。また、本発明の他の目的は、開栓時の操作性にも優れた安全キャップを提供することである。
【課題を解決するための手段】
【０００７】
（１）本発明の安全キャップは、天面壁と該天面壁の周縁から垂下するスカート部とを有し、前記スカート部の内周面には容器の口頸部に螺着される雌ネジが形成されており、前記スカート部の下端から下方に延びる第２スカート部が形成されており、前記第２スカート部には１個又は、周方向に対向する位置関係にある２個の突起が形成されており、
前記キャップを開栓する際、前記口頸部外方に設けられた係止部に前記突起が当接して開栓方向への旋回を阻止され、前記突起と直交する位置の前記第２スカート部外側面を外方から押圧することにより前記第２スカート部を楕円形状に弾性変形させ、前記係止部より前記突起を半径方向外側に移動させ開栓方向への旋回を許容する機構を備えた安全キャップであって、前記突起の基部に沿って、前記第２スカート部に、前記突起と前記係止部との係止状態を解除する際に前記第２スカート部の弾性変形を促進させるための変形促進部を設けていることを特徴とする。
【０００８】
（２）請求項２の安全キャップは、前記（１）において、前記変形促進部が、前記突起の基部両側又は片側に、薄肉状又は溝状に形成されていることを特徴とする。
【発明の効果】
【０００９】
本発明によれば、キャップの第２スカート部に設けられた突起を半径方向外側に移動させキャップ開栓方向への旋回を許容する機構を備え、前記突起の係止状態を解除させて第２スカート部の弾性変形を促進させるための変形促進部が設けられているので、幼児などが誤って開栓することがない安全性に優れたキャップを提供でき、さらに開栓時のキャップ押圧力を少なくした開栓操作性に優れたキャップを提供することができる。
【発明を実施するための最良の形態】
【００１０】
本発明の安全キャップにおいては、天面壁と該天面壁の周縁から垂下するスカート部を有し、スカート部の内周面には容器の口頸部に螺着される雌ネジが形成されており、スカート部の下端から下方に延びる第２スカート部には、１個又は、周方向に対向する位置関係にある２個の突起が形成されており、キャップを開栓する際、口頸部外方に設けられた係止部に突起が当接して開栓方向への旋回を阻止し、突起と直交する位置の第２スカート部外側面を外方から押圧することにより第２スカート部を楕円形状に弾性変形させ、係止部より突起を半径方向外側に移動させ開栓方向への旋回を許容する機構を備え、突起の基部に沿って、第２スカート部に、突起と係止部との係止状態を解除させて第２スカート部下端側の弾性変形を促進させるための変形促進部を設けている。
【００１１】
また、変形促進部を、突起の基部両側又は片側に、薄肉状や溝状に形成して突起の先端を屈曲させ係止部に対して離脱可能に形成することもできる。このような薄肉状又は溝状の変形促進部をスカート部の一部に設けることによって、キャップ断面を楕円形状に変形させて係止状態を解除するのに必要な押圧力をさらに少なくすることができ、開栓操作性に優れた安全キャップとすることができる。
以下、本発明の実施例に係る安全キャップについて図面に基づいてさらに具体的に説明する。
【実施例】
【００１２】
図１は本発明の実施例に係る安全キャップの縦断面図（ａ）及び底面図（ｂ）であり、図２は、安全キャップが装着される容器体の口頸部の正面図（ａ）及び上面図（ｂ）である。
図１において、１０は実施例に係る安全キャップであり、安全キャップ１０の天面壁１０ｂ周縁からは、スカート部１１を略円筒状に垂下させるともに、スカート部１１の内周面には雌ネジ１２を設けている。スカート部１１の下端には半径方向外方に延びる連結部１０ｃが形成されており、その連結部１０ｃの外周縁から下方に垂下する第２スカート部１１ａが設けられている。そして、第２スカート部１１ａの内周面には周方向に対向する位置に２個の突起１３を配置する。さらに、突起１３の基部１３ａの両側に沿って軸線方向に延びる薄肉状又は溝状の変形促進部１４を形成している。
【００１３】
図２において、２０は実施例に係る安全キャップを螺合する容器体の注ぎ口である口頸部であり、その外周には雄ネジ２２を形成し、口頸部２０の下方には周方向に対向する位置に２個の係止部２３を配置する。そして、口頸部２０に螺着された安全キャップ１０は、口頸部２０の下方に設けられた係止部２３に安全キャップ１０の突起１３が当接することにより開栓方向への旋回が阻止される。
【００１４】
また、安全キャップ１０の第２スカート部１１ａの厚みは、第２スカート部１１ａの外側面を外方から押圧することにより、円形状の断面を楕円形状に容易に変形可能な肉厚としている。すなわち、第２スカート部１１ａの外側面を内方に押圧して、断面円形状の第２スカート部１１ａを楕円形状に弾性変形させることにより、突起１３を半径方向外方に移動させ、係止部２３との係合状態を解除させることができる。この解除により、安全キャップ１０の開栓方向への旋回が許容される。なお、安全キャップ１０は、ポリエチレンやポリプロピレンなどの合成樹脂を素材として、射出、圧縮などの成形方法により、第２スカート部が弾性変形可能な厚みに円筒状に形成される。
【００１５】
次に、実施例の安全キャップにおける使用形態について図３及び図４を参照して説明する。図３は、容器体の口頸部と安全キャップの係止状態（ａ）及び解除状態（ｂ）を示す横断面図である。図４（ａ）は図３（ａ）におけるＡ１−Ａ１縦断面図であり、図４（ｂ）は図３（ｂ）におけるＡ２−Ａ２縦断面図である。図４（ｃ）は図３（ａ）におけるＢ１−Ｂ１縦断面図であり、図４（ｄ）は図３（ｂ）におけるＢ２−Ｂ２縦断面図である。
図３、図４に示すように、容器体の口頸部２０に螺着された安全キャップ１０は、口頸部２０の下方に設けられた係止部２３に安全キャップ１０の突起１３が当接することにより開栓方向への旋回が阻止されているが、安全キャップ１０の第２スカート部１１ａの外側面を外方から押圧して第２スカート部１１ａを楕円形状に弾性変形させると、容器体の係止部２３に係止していた突起１３は半径方向外方に移動させられ、それぞれ係止部２３を離脱して係止状態が解除され、安全キャップ１０は開栓方向への旋回が許容される。
このとき、突起１３の基部１３ａの両側に薄肉状又は溝状の変形促進部１４が形成されているので、突起１３は係止部２３から容易に離脱して係止状態が解除される。すなわち、突起１３はその基部１３ａの周方向両側に沿って延びる溝状薄肉の変形促進部１４を有してキャップ内方に延出しているので、少しの押圧変形で突起１３先端の動きが拡大され係止部２３から容易に離脱できるのである。
【００１６】
変形促進部１４は、図３に示されるように、突起１３の周方向の両端に薄肉状や溝状に形成された薄肉部であり、係止部２３から離脱される突起先端の動きを促進させる機能を有している。
なお、変形促進部１４における薄肉部の厚みは、突起基部１４ａ周囲の肉厚に対して約１／３〜１／２程度の範囲とすることが望ましい。これは薄肉に形成される変形促進部１４の周方向幅にもよるが、厚みが１／３より薄くなると突起先端を維持させるのに必要な強度が維持できなくなりキャップ閉栓状態の不確実性が増すためであり、逆に厚みが１／２を超えて厚くなると、変形促進効果が著しく減少する傾向が現れるからである。
【００１７】
図４の参照して、本実施例の安全キャップの使用形態の説明を続けると、図５（ａ）→（ｂ）に示すように、安全キャップ１０下方の第２スカート部１１ａの外側を押圧することによって、突起１３が配置されている位置と直交する第２スカート部１１ａは、第２スカート部１１ａの下端が円周内側に縮径するように変形するとともに、図５（ｃ）→（ｄ）に示すように、突起１３が外側に拡径するように移行して係止部２３からの離脱が促進される。
【００１８】
図５は、本発明の安全キャップの変容例を示すものであり、変形促進部を示す拡大横断面図である。変容例の変形促進部１１４は、第２スカート部１１ａ内側に斜行して形成される突起１１３の基部１１３ａ片側に溝状に薄肉部として形成されており、突起１１３の先端は湾曲状の面取部１８を有しているので、突起１１３が係止部２３から容易に離脱し、安全キャップの開栓をさらに容易に行うことができる。
【００１９】
本発明は、キャップに設けられた突起を半径方向外側に移動させキャップ開栓方向への旋回を許容する機構を備え、突起の係止状態を解除させてキャップの弾性変形を促進させるための変形促進部が設けられていることを要旨とするものであり、これに属するものは本発明の権利範囲である。例えば、本実施例ではボトル型の容器体の場合について述べたが、本発明の安全キャップは、チューブ型容器や、ビンボトル容器等のネジ式容器体に対しても適用することができる。
【産業上の利用可能性】
【００２０】
本発明の安全キャップは、キャップが容器体から容易に外れることがなく乳幼児などが誤って開栓することができないため、安全性に優れたキャップを提供することができ、一方、開栓時において、キャップを押圧して変形させるのに必要な押圧力を少なくできるので、開栓時の取り扱い性に優れており、産業上の利用可能性が極めて大きい。
【図面の簡単な説明】
【００２１】
【図１】本発明の実施例に係る安全キャップの縦断面図（ａ）及び底面図（ｂ）である。
【図２】安全キャップが装着される容器体の口頸部の正面図（ａ）及び上面図（ｂ）である。
【図３】容器体の口頸部と安全キャップの係止状態（ａ）及び解除状態（ｂ）を示す横断面図である。
【図４】（ａ）は図３（ａ）におけるＡ１−Ａ１縦断面図であり、（ｂ）は図３（ｂ）におけるＡ２−Ａ２縦断面図であり、（ｃ）は図３（ａ）におけるＢ１−Ｂ１縦断面図であり、図４（ｄ）は図３（ｂ）におけるＢ２−Ｂ２縦断面図である。
【図５】変容例の安全キャップの変形促進部を示す拡大横断面図である。
【符号の説明】
【００２２】
１０  安全キャップ
１０ｂ  天面壁
１０ｃ  連結部
１１  スカート部
１１ａ  第２スカート部
１２  雌ネジ
１３，１１３  突起
１３ａ、１１３ａ  突起基部
１４，１１４  変形促進部
１８  面取部
２０  口頸部
２２  雄ネジ
２３  係止部
【図１】
2007223624.tif 000003
【図２】
2007223624.tif 000004
【図３】
2007223624.tif 000005
【図４】
2007223624.tif 000006
【図５】
2007223624.tif 000007